(57)【特許請求の範囲】
【請求項１】
金型に設置されたガラス素材を押圧してガラス成形品を成形する成形部と、
前記成形部で成形された前記ガラス成形品の良否判定を行う検査判定部と、
を備え、
前記検査判定部は、さらに、前記ガラス成形品を成形するために使用した前記金型の良否判定を行い、
前記検査判定部の判定結果に基づき、前記金型の排出判定を行う金型排出判定部を備え、
前記金型排出判定部は、前記金型を前記成形部の成形工程から排出する排出条件の設定を行い、前記金型の良否判定結果が前記排出条件を満たしたとき、前記金型を前記成形工程から排出することを特徴とするガラス成形装置。
【請求項２】
前記排出条件は、同一の金型で成形されたガラス成形品の良否判定結果が連続して不良品と判定された前記金型の不良品判定連続回数、同一の金型で成形されたガラス成形品の良否判定結果が不良品と判定された前記金型の不良品判定累計回数、同一の金型で成形を行った延べ成形回数に対する前記不良品判定累計回数の割合の内、少なくとも１つを含むことを特徴とする請求項１に記載のガラス成形装置。
【請求項３】
前記検査判定部は、前記ガラス成形品を載置する検査台と、
前記ガラス成形品を照明する光源と、
前記ガラス成形品の外観を撮像する撮像部と、
前記ガラス成形品の良否判定を行う判定部と、
を備えていることを特徴とする請求項１または請求項２に記載のガラス成形装置。
【請求項４】
金型に設置されたガラス素材を押圧してガラス成形品を成形する成形部と、
前記成形部で成形された前記ガラス成形品の良否判定を行う検査判定部と、
を備え、
前記検査判定部は、さらに、前記ガラス成形品を成形するために使用した前記金型の良否判定を行い、
前記検査判定部は、前記ガラス成形品を載置する検査台と、
前記ガラス成形品を照明する光源と、
前記ガラス成形品の外観を撮像する撮像部と、
前記ガラス成形品の良否判定を行う判定部と、
を備え、
前記検査台は、前記成形部で成形された前記ガラス成形品を載置する載置部が透明な平板で構成され、前記平板に対する垂直軸を中心に回転することを特徴とするガラス成形装置。
【請求項５】
前記光源は、前記検査台の下に配置され、前記透明な平板の上に載置された前記ガラス成形品を前記透明な平板の下から照明することを特徴とする請求項４に記載のガラス成形装置。
【請求項６】
前記撮像部は、前記ガラス成形品の上面を撮像する上面視撮像部、
前記ガラス成形品の側面を撮像する側面視撮像部の内、
少なくとも１つを備えていることを特徴とする請求項３〜請求項５のいずれか１項に記載のガラス成形装置。
【請求項７】
前記判定部は、前記成形部により成形された前記ガラス成形品の良否判定を行うための検査項目を設定し、前記撮像部により撮像された画像により前記検査項目が満たされたとき、前記ガラス成形品が不良品であると判定を行うと共に、前記ガラス成形品を成形した前記金型の良否判定も併せて行うことを特徴とする請求項３〜請求項６のいずれか１項に記載のガラス成形装置。
【請求項８】
前記ガラス成形品を収納するガラス成形品収納部に収納された前記ガラス成形品の前記検査判定部の良否判定結果と、前記ガラス成形品を成形した前記金型とを対応付けて表示する表示部を有することを特徴とする請求項１〜請求項７のいずれか１項に記載のガラス成形装置。
【請求項９】
金型に設置されたガラス素材を押圧してガラス成形品を成形する成形部と、
前記成形部で成形された前記ガラス成形品の良否判定を行う検査判定部と、
を備え、
前記検査判定部は、さらに、前記ガラス成形品を成形するために使用した前記金型の良否判定を行い、
前記ガラス成形品を収納するガラス成形品収納部に収納された前記ガラス成形品の前記検査判定部の良否判定結果と、前記ガラス成形品を成形した前記金型とを対応付けて表示する表示部を有し、
前記表示部は、一つの表示画面内に前記ガラス成形品収納部に収納された前記ガラス成形品の良否判定結果と、前記ガラス成形品を成形した前記金型とを対応付けて表示させるとともに、前記金型を前記成形部の成形工程から排出する排出条件と、前記ガラス成形品の良否判定を行うための検査項目の設定状況とを表示することを特徴とするガラス成形装置。
【請求項１０】
前記表示部は、一つの表示画面内に前記ガラス成形品収納部に収納された前記ガラス成形品の良否判定結果と、前記ガラス成形品を成形した前記金型とを対応付けて表示させるとともに、前記金型を前記成形部の成形工程から排出する排出条件と、前記ガラス成形品の良否判定を行うための検査項目の設定状況とを表示することを特徴とする請求項８に記載のガラス成形装置。
【請求項１１】
金型に設置されたガラス素材を押圧してガラス成形品を成形する成形部と、
前記成形部で成形された前記ガラス成形品の良否判定を行う検査判定部と、
を備え、
前記検査判定部は、さらに、前記ガラス成形品を成形するために使用した前記金型の良否判定を行い、
前記ガラス成形品を収納するガラス成形品収納部に収納された前記ガラス成形品の前記検査判定部の良否判定結果と、前記ガラス成形品を成形した前記金型とを対応付けて表示する表示部を有し、
前記表示部は、ガラス成形品収納部に収納された前記ガラス成形品の前記検査判定部の良否判定結果と、前記ガラス成形品を成形した前記金型とを対応付けて表示する際に、前記ガラス成形品を成形した前記金型の金型番号が表示される背景画面の表示色を、前記検査判定部の良否判定結果に基づいて変えることを特徴とするガラス成形装置。
【請求項１２】
前記表示部は、ガラス成形品収納部に収納された前記ガラス成形品の前記検査判定部の良否判定結果と、前記ガラス成形品を成形した前記金型とを対応付けて表示する際に、前記ガラス成形品を成形した前記金型の金型番号が表示される背景画面の表示色を、前記検査判定部の良否判定結果に基づいて変えることを特徴とする請求項９に記載のガラス成形装置。
【請求項１３】
前記表示部は、ガラス成形品収納部に収納された前記ガラス成形品の前記検査判定部の良否判定結果と、前記ガラス成形品を成形した前記金型の金型番号が表示される背景画面の表示色との対応関係を表示することを特徴とする請求項１１または請求項１２に記載のガラス成形装置。
【発明の詳細な説明】
【技術分野】
【０００１】
本発明は、金型を用いてガラス素材を押圧成形してガラス成形品を成形するガラス成形装置に関する。
【背景技術】
【０００２】
従来、この種の技術としては、例えば以下に示す特許文献１に記載されたものが知られている。この特許文献１には、成形品の良否を判別する金型成形品検査システムが記載されている。このシステムでは、成形品の３次元方向の画像データ及び３次元形状の計測データと、成形品の良品の３次元方向の基準画像データ及び３次元形状の基準計測データとの比較、照合により成形品の良否を判別する。
【０００３】
また、特許文献２には、製品が成形された金型面の画像を処理することにより製品の良否を判定する成形金型の監視装置が記載されている。
【０００４】
この監視装置は、製品が良好に成形されたとき、および製品が良好に払出されたときの可動金型の金型面をテレビカメラで撮像する。そして撮像により得られた撮像画像を画像処理することにより製品領域抽出パターン、検査領域および検査用しきい値を決定する。監視装置は、これらのパラメータを使用して製品が成形された金型面の画像を処理することにより製品の良否を判定する。
【先行技術文献】
【特許文献】
【０００５】
【特許文献１】特開２００７−２３７６６７号公報
【特許文献２】特開平１１−２３２４６１号公報
【発明の概要】
【発明が解決しようとする課題】
【０００６】
上記従来の技術では、成形品の画像データ、成形品の計測データ、金型の画像データなどに基づいて、成形品の良否を判定している。
【０００７】
しかし、従来の技術では、成形品の良否を判定しているものの、成形品の良否に基づいて成形品を成形した金型の良否は判定していなかった。このため、成形品を成形する成形工程において実際に成形素材を成形している金型の良否を把握することができないという問題があった。
【０００８】
本発明の目的は、金型を用いて成形されたガラス成形品の良否の判定結果に基づいて、金型の良否を判定するガラス成形装置を提供することである。
【課題を解決するための手段】
【０００９】
本発明のガラス成形装置は、金型に設置されたガラス素材を押圧してガラス成形品を成形する成形部と、前記成形部で成形された前記ガラス成形品の良否判定を行う検査判定部と、を備え、前記検査判定部は、さらに、前記ガラス成形品を成形するために使用した前記金型の良否判定を行う。
【００１０】
ガラス成形装置は好ましくは、前記検査判定部の判定結果に基づき、前記金型の排出判定を行う金型排出判定部を備える。
【００１１】
ガラス成形装置は好ましくは、前記金型排出判定部は、前記金型を前記成形部の成形工程から排出する排出条件の設定を行い、前記金型の良否判定結果が前記排出条件を満たしたとき、前記金型を前記成形工程から排出する。
【００１２】
ガラス成形装置は好ましくは、前記排出条件は、同一の金型で成形されたガラス成形品の良否判定結果が連続して不良品と判定された前記金型の不良品判定連続回数、同一の金型で成形されたガラス成形品の良否判定結果が不良品と判定された前記金型の不良品判定累計回数、同一の金型で成形を行った延べ成形回数に対する前記不良品判定累計回数の割合の内、少なくとも１つを含む。
【００１３】
ガラス成形装置は好ましくは、前記検査判定部は、前記ガラス成形品を載置する検査台と、前記ガラス成形品を照明する光源と、前記ガラス成形品の外観を撮像する撮像部と、前記ガラス成形品の良否判定を行う判定部と、を備える。
【００１４】
ガラス成形装置は好ましくは、前記検査台は、前記成形部で成形された前記ガラス成形品を載置する載置部が透明な平板で構成され、前記平板に対する垂直軸を中心に回転する。
【００１５】
ガラス成形装置は好ましくは、前記光源は、前記検査台の下に配置され、前記透明な平板の上に載置された前記ガラス成形品を前記透明な平板の下から照明する。
【００１６】
ガラス成形装置は好ましくは、前記撮像部は、前記ガラス成形品の上面を撮像する上面視撮像部、前記ガラス成形品の側面を撮像する側面視撮像部の内、少なくとも１つを備えている。
【００１７】
ガラス成形装置は好ましくは、前記判定部は、前記成形部により成形された前記ガラス成形品の良否判定を行うための検査項目を設定し、前記撮像部により撮像された画像により前記検査項目が満たされたとき、前記ガラス成形品が不良品であると判定を行うと共に、前記ガラス成形品を成形した前記金型の良否判定も併せて行う。
【００１８】
ガラス成形装置は好ましくは、前記ガラス成形品を収納するガラス成形品収納部に収納された前記ガラス成形品の前記検査判定部の良否判定結果と、前記ガラス成形品を成形した前記金型とを対応付けて表示する表示部を有する。
【００１９】
ガラス成形装置は好ましくは、前記表示部は、一つの表示画面内に前記ガラス成形品収納部に収納された前記ガラス成形品の良否判定結果と、前記ガラス成形品を成形した前記金型とを対応付けて表示させるとともに、前記金型を前記成形部の成形工程から排出する排出条件と、前記ガラス成形品の良否判定を行うための検査項目の設定状況とを表示する。
【００２０】
ガラス成形装置は好ましくは、前記表示部は、ガラス成形品収納部に収納された前記ガラス成形品の前記検査判定部の良否判定結果と、前記ガラス成形品を成形した前記金型とを対応付けて表示する際に、前記ガラス成形品を成形した前記金型の金型番号が表示される背景画面の表示色を、前記検査判定部の良否判定結果に基づいて変える。
【００２１】
ガラス成形装置は好ましくは、前記表示部は、ガラス成形品収納部に収納された前記ガラス成形品の前記検査判定部の良否判定結果と、前記ガラス成形品を成形した前記金型の金型番号が表示される背景画面の表示色との対応関係を表示する。
【発明の効果】
【００２２】
本発明のガラス成形装置によれば、金型を用いて成形されたガラス成形品の良否の判定結果に基づいて、金型の良否を判定するガラス成形装置を提供することができる。
【図面の簡単な説明】
【００２３】
【図１】本発明の実施形態に係るガラス成形装置の構成を示す図である。
【図２】本発明の実施形態に係るガラス成形装置の検査判定部の構成を示す図である。
【図３】本発明の実施形態に係るガラス成形装置が成形するガラス成形品の外観の一例を示す図である。
【図４】本発明の実施形態に係るガラス成形装置が成形するガラス成形品の上面視図ならびに側面視図である。
【図５】本発明の実施形態に係るガラス成形装置の表示部が表示する一表示例を示す図である。
【発明を実施するための形態】
【００２４】
以下、図面を用いて本発明を実施するための実施形態を説明する。
【００２５】
（実施形態）
図１を参照して、本発明の実施形態に係るガラス成形装置の構成を説明する。
【００２６】
図１において、ガラス成形装置１は、成形部１１、検査判定部１２、金型排出判定部１３、表示部１４ならびに制御部１５を備えている。
【００２７】
成形部１１は、金型に配置されたガラス素材を、主に加熱、押圧、冷却を行う押圧成形によりガラス素材をプレス成形してガラス成形品を成形する。
【００２８】
検査判定部１２は、成形品判定部１２Ａと金型判定部１２Ｂとを備えている。
【００２９】
成形品判定部１２Ａは、成形部１１で成形されたガラス成形品を検査して良否を判定する。金型判定部１２Ｂは、ガラス成形品を成形するために使用した金型の良否を判定する。
【００３０】
金型排出判定部１３は、金型判定部１２Ｂから与えられた金型の良否の判定結果に基づいて、ガラス素材を成形する一連の成形工程から排出する金型を判定する。
【００３１】
表示部１４は、例えば操作者がガラス成形装置１に対して各種入力操作などを行う操作コンソールに設けられている。表示部１４は、タッチパネル（図示せず）とディスプレイ（図示せず）とを備えている、タッチパネルは、表示部１４の前面に配置された感圧式あるいは静電式などの透明なパネルである。ディスプレイは、タッチパネルの裏面に配置され、後述する制御部１５からの指令に基づいて各種表示画面を表示する液晶などのディスプレイで構成される。
【００３２】
操作者は、ディスプレイの画面を見ながらタッチパネルの表面を指などで直接触れることで、各種入力操作を行うことができる。これにより、表示部１４は入力装置としての機能を備えている。
【００３３】
制御部１５は、本ガラス成形装置１の動作を制御する制御中枢として機能する。制御部１５は、プログラムに基づいて各種動作処理を制御するＣＰＵ、記憶部などを備えた例えばマイクロコンピュータで構成される。制御部１５は、ガラス成形装置１の動作を制御する制御シーケンスを実行するプログラムを記憶部に記憶する。
【００３４】
制御部１５は、記憶部に記憶されたプログラムを実行することにより、成形部１１の成形工程を行う動作、表示部１４の表示動作を含む本ガラス成形装置１で行われるすべての動作を統括管理して制御する。
【００３５】
より詳細には以下の通りである。
【００３６】
検査判定部１２は、図２に示すように、検査台２１、バックライト２２、上面視カメラ２３、側面視カメラ２４ならびに判定部２５を備えている。判定部２５は、成形品判定部１２Ａ及び金型判定部１２Ｂにより構成されている。
【００３７】
検査台２１は、検査台２１の中心を通る垂直軸を回転軸とする回転機構として機能するアクチュエータ（図示せず）により回転制御される構造となっている。
検査台２１は、制御部１５によって制御されるアクチュエータにより前記回転軸を中心に回転することで、検査台２１に載置されたガラス成形品２６を回転させる。
この時、検査台２１の中心軸とガラス成形品２６の中心軸を合わせるようにガラス成形品２６を検査台２１に載置しておくことが好ましい。
【００３８】
バックライト２２は、検査台２１の下に配置され、検査台の２１の下方から透明な検査台２１を介して検査台２１に載置されたガラス成形品２６を照明する。バックライト２２は、検査台２１に載置されたガラス成形品２６を照明する光源となる。
【００３９】
上面視カメラ２３は、検査台２１の上方に配置され、例えばＣＣＤなどの撮像素子により検査台２１に載置されたガラス成形品２６の上面を撮像する。上面視カメラ２３は、撮像で得られたガラス成形品２６の上面の画像を判定部２５の成形品判定部１２Ａに与える。上面視カメラ２３は、上面視撮像部となる。
【００４０】
側面視カメラ２４は、検査台２１の側方に配置され、例えばＣＣＤなどの撮像素子により検査台２１に載置されたガラス成形品２６の側面を撮像する。側面視カメラ２４は、撮像で得られたガラス成形品２６の側面の画像を判定部２５の成形品判定部１２Ａに与える。側面視カメラ２４は、側面視撮像部となる。
【００４１】
上面視撮像部と側面視撮像部とは、撮像部を構成する。なお、撮像部は、上面視撮像部と側面視撮像部との内、少なくとも１つを備えていてもよい。
【００４２】
判定部２５の成形品判定部１２Ａは、上面視カメラ２３ならびに側面視カメラ２４から与えられた画像に基づき、ガラス成形品２６の良否を判断するために予め設定された検査項目の検出値を検査する。判定部２５の金型判定部１２Ｂは、検査項目の検出値（検査結果）に基づいて、ガラス成形品を成形した金型の良否を判定する。
【００４３】
判定部２５の成形品判定部１２Ａ及び金型判定部１２Ｂは、プログラムに基づいて各種動作処理を制御するＣＰＵ、記憶部などを備えた例えばマイクロコンピュータで構成される。判定部２５の成形品判定部１２Ａは、検査項目について検出値を検査するための画像処理を実行し、ガラス成形品２６の良否を判定するプログラムを記憶部に記憶する。判定部２５の金型判定部１２Ｂは、検査項目について検出値を検査するための画像処理を実行し、当該ガラス成形品２６を成形した金型の良否を判定するプログラムを記憶部に記憶する。
【００４４】
判定部２５の成形品判定部１２Ａは、記憶部に記憶されたプログラムを実行することにより、ガラス成形品２６の上面視ならびに側面視の画像を処理して検査項目についての検出値を検査する。
【００４５】
検査項目としては、例えば、後述する検査項目１、検査項目２、検査項目３ならびに検査項目４などがある。検査項目１〜４は、少なくとも１つが選択されて設定される。また、検査項目１〜４などは、任意の２つ以上の検査項目を選択して、複数設定することができる。
【００４６】
なお、判定部２５の成形品判定部１２Ａ及び金型判定部１２Ｂが備えている機能は、判定部２５に代えて後述する制御部１５が行うようにしてもよい。
【００４７】
ここで、上記検査項目を検査するガラス成形品２６の一例を図３ならびに図４に示す。
【００４８】
図３はガラス成形品２６の外観を示す斜視図である。図４（ａ）は図３に示すガラス成形品２６の上面視を示す上面視図、図４（ｂ）は図３に示すガラス成形品２６の長辺側の側面視を示す側面視図、図４（ｃ）は図３に示すガラス成形品２６の短辺側の側面視を示す側面視図である。
【００４９】
ガラス成形品２６は、図３に示すように、短辺方向において、長辺方向に伸びた３つの領域を有し、一つは、平坦形状をした中間平坦部３４ａと、残り二つは、中間平坦部の両端に湾曲形状をした湾曲部３４ｂ、３４ｃと、によって構成されている。
より詳細には、ガラス成形品２６は、上面３４（中間平坦部３４ａ、湾曲部３４ｂ、３４ｃ）と、側面３５（短辺側の側面３５ｂ、３５ｄ、長辺側の側面３５ａ、３５ｃ）と、を有する。
【００５０】
また、上面視は、図４（ａ）に示すように四角形状の成形品である。
【００５１】
さらに、側面３５（側面３５ａ〜３５ｄ）は、図４（ｃ）に示すように成形品の板厚面を構成する。
【００５２】
このガラス成形品２６は、例えばスマートフォンやタブレット型コンピュータなどの携帯端末の表示画面をカバーするカバーガラスとして使用される。
【００５３】
検査項目１は、図３ならびに図４に示すガラス成形品２６の上面３４（３４ａ〜３４ｃ）の傷の大きさである。
【００５４】
判定部２５の成形品判定部１２Ａは、ガラス成形品２６の上面３４に予め設定された閾値以上の凹凸（表面粗さ）があるか否かを判定する。判定部２５の成形品判定部１２Ａは、ガラス成形品２６の上面３４に閾値以上の凹凸がある場合には、傷があるものと判定する。一方、判定部２５の成形品判定部１２Ａは、ガラス成形品２６の上面３４に閾値以上の凹凸がない場合には、傷がないものと判定する。上記閾値は、例えば１００（μｍ）程度に設定される。
【００５５】
検査項目２は、図３ならびに図４に示すガラス成形品２６の側面３５ｂ，３５ｄ及び側面視した上面３４の湾曲部３４ｂ，３４ｃの傷の大きさである。
【００５６】
判定部２５の成形品判定部１２Ａは、ガラス成形品２６の側面３５ｂ，３５ｄ及び側面視した上面３４の湾曲部３４ｂ，３４ｃに予め設定された閾値以上の凹凸があるか否かを判定する。判定部２５の成形品判定部１２Ａは、ガラス成形品２６の側面３５ｂ，３５ｄ及び側面視した上面３４の湾曲部３４ｂ，３４ｃに閾値以上の凹凸がある場合には、傷があるものと判定する。一方、判定部２５の成形品判定部１２Ａは、ガラス成形品２６の側面３５ｂ，３５ｄ及び側面視した上面３４の湾曲部３４ｂ，３４ｃに閾値以上の凹凸がない場合には、傷はないものと判定する。上記閾値は、例えば１００（μｍ）程度に設定される。
【００５７】
検査台２１を初期位置の角度０°に対して角度９０°、角度１８０°、角度２７０°の各角度で回転させることで、ガラス成形品２６の短辺側の側面３５ｂ、３５ｄ及び側面視した上面３４の湾曲部３４ｂ，３４ｃは、側面視カメラ２４の正面に向いて各々撮像される。ここで、初期位置とは、短辺側の側面３５ｂ、３５ｄ及び側面視した上面３４の湾曲部３４ｂ，３４ｃの内、いずれか１つの面が側面視カメラ２４の正面に向いている状態のことである。
【００５８】
検査項目２として、ガラス成形品２６の側面及び湾曲部の傷の大きさが設定された場合に、ガラス成形品２６の短辺側の側面３５ｂ、３５ｄ及び上面３４の湾曲部３４ｂ、３４ｃの内、傷を検査しようとする面は、任意に選択することが可能である。
【００５９】
検査項目３は、ガラス成形品２６の長辺方向の長さＬ１と短辺方向の長さＬ２である。
【００６０】
判定部２５の成形品判定部１２Ａは、ガラス成形品２６の長辺方向の長さＬ１と短辺方向の長さＬ２とが予め設定された基準寸法内に収まっているか否かを判定する。ここで、基準寸法は、例えば±１０（μｍ）程度の誤差を含んで設定される。
【００６１】
判定部２５の成形品判定部１２Ａは、ガラス成形品２６の長辺方向の長さＬ１と短辺方向の長さＬ２とが基準寸法内に収まっている場合には、ガラス成形品２６の長辺方向の長さＬ１と短辺方向の長さＬ２とは基準寸法内と判定する。
【００６２】
一方、判定部２５の成形品判定部１２Ａは、ガラス成形品２６の長辺方向の長さＬ１または短辺方向の長さＬ２が基準寸法内に収まっていない場合には、ガラス成形品２６の長辺方向の長さＬ１または短辺方向の長さＬ２は基準寸法外と判定する。
【００６３】
検査項目４は、ガラス成形品２６の高さＨである。
【００６４】
判定部２５の成形品判定部１２Ａは、ガラス成形品２６の高さＨが予め設定された基準寸法内に収まっているか否かを判定する。ここで、基準寸法は、例えば±１０（μｍ）程度の誤差を含んで設定される。
【００６５】
判定部２５の成形品判定部１２Ａは、ガラス成形品２６の高さＨが基準寸法内に収まっている場合には、ガラス成形品２６の高さは基準寸法内と判定する。一方、判定部２５の成形品判定部１２Ａは、ガラス成形品２６の高さＨが基準寸法内に収まっていない場合には、ガラス成形品２６の高さＨは基準寸法外と判定する。
【００６６】
判定部２５の成形品判定部１２Ａは、検査したガラス成形品２６は傷が無く、かつ、長辺方向、短辺方向の長さが基準寸法内に収まっていると判定した場合には、ガラス成形品２６を良品と判定する。判定部２５の成形品判定部１２Ａは、傷が有りもしくは少なくとも長辺方向または短辺方向の長さが基準寸法外であると判定した場合には、ガラス成形品２６を不良品と判定する。
【００６７】
判定部２５の金型判定部１２Ｂは、ガラス成形品２６の良否の判定結果に基づいて、良否を判定したガラス成形品２６を成形した金型の良否を判定する。すなわち、判定部２５の金型判定部１２Ｂは、良品と判定されたガラス成形品２６を成形した金型は、良品と判定する。
【００６８】
一方、ガラス成形品２６が不良と判定された場合に、１回の判定でガラス成形品２６が不良と判定された原因が金型にあるのか、もしくは他の原因、例えば成形中にガラスにゴミなどが付着して不良品と判定されたのかを判別するのは難しい。したがって、ガラス成形品２６が不良と判定された場合に、判定部２５の金型判定部１２Ｂは、不良品と判定されたガラス成形品２６を成形した金型は、不良の可能性があるものと判定する。
【００６９】
判定部２５の金型判定部１２Ｂは、金型の良否の判定結果を、各々の金型を識別するために各金型に付与された金型番号とともに図１に示す金型排出判定部１３に与える。
【００７０】
再び図１を参照すると、金型排出判定部１３は、例えば次のような金型排出判定項目１〜３（排出条件）などの内少なくとも１つに基づいて、排出すべき金型を判定する。
【００７１】
金型排出判定項目１の検出値は、同一の金型で成形されたガラス成形品２６の良否判定結果が連続して不良品の可能性があると判定された回数（不良品判定連続回数）である。
【００７２】
金型排出判定項目２の検出値は、同一の金型で成形されたガラス成形品２６の良否判定結果が不良品の可能性があると判定された総回数（不良品判定累計回数）である。
【００７３】
金型排出判定項目３の検出値は、同一の金型で成形を行った総回数（延べ成形回数）に対する不良品判定累計回数の割合である。
【００７４】
金型排出判定部１３は、金型排出判定項目１の検出値が予め設定された第１所定値に達すると、ガラス成形品２６を成形した金型を不良品として排出すると判定する。金型排出判定部１３は、金型排出判定項目１の検出値が上記第１所定値に達しない場合には、ガラス成形品２６を成形した金型は不良品ではないとして排出しないと判定する。
【００７５】
金型排出判定部１３は、金型排出判定項目２の検出値が予め設定された第２所定値に達すると、ガラス成形品２６を成形した金型を不良品として排出すると判定する。金型排出判定部１３は、金型排出判定項目２の検出値が上記第２所定値に達しない場合には、ガラス成形品２６を成形した金型は不良品ではないとして排出しないと判定する。
【００７６】
金型排出判定部１３は、金型排出判定項目３の検出値が予め設定された第３所定値に達すると、ガラス成形品２６を成形した金型を不良品として排出すると判定する。金型排出判定部１３は、金型排出判定項目３の検出値が上記第３所定値に達しない場合には、ガラス成形品２６を成形した金型は不良品ではないとして排出しないと判定する。
【００７７】
金型排出判定部１３は、金型排出判定項目１〜３の検出値の内設定された２もしくは３の金型排出判定項目の検出値に基づいて、排出する金型を判定する場合には、設定されたすべての金型排出判定項目の検出値が上記所定値に達した場合に金型を排出すると判定する。あるいは、金型排出判定部１３は、少なくとも１以上の金型排出判定項目の検出値が上記所定値に達した場合に金型を排出すると判定する。
【００７８】
金型排出判定部１３は、プログラムに基づいて各種動作処理を制御するＣＰＵ、記憶部などを備えた例えばマイクロコンピュータで構成される。金型排出判定部１３は、上述した判定を行うプログラムを記憶部に記憶する。
【００７９】
金型排出判定部１３は、記憶部に記憶されたプログラムを実行することにより、金型排出判定項目１〜３の検出値と対応する第１所定値（第１閾値）〜第３所定値（第３閾値）とを比較して排出する金型を判定する。
【００８０】
表示部１４は、制御部１５の制御の下に、後述する図５に示すように、ガラス成形品２６を収納するガラス成形品収納部（図示せず）と、ガラス成形品収納部に収納されたガラス成形品２６を成形した金型の金型番号を対応づけて表示する。
【００８１】
表示部１４は、判定部２５の成形品判定部１２Ａで用いる検査項目１〜４の有効性、無効性、ならびに金型排出判定部１３で用いる金型排出判定項目１〜３の検出値と比較する所定値を表示する。
【００８２】
既に述べたように、操作者は、ディスプレイの画面を見ながらタッチパネルの表面を指などで直接触れることで、各種入力操作を行うことができる。これにより、表示部１４は入力装置としての機能を備えている。
【００８３】
表示部１４は、上記入力装置としての機能を用いて、判定部２５の成形品判定部１２Ａで用いる検査項目１〜４の有効性、無効性、ならびに金型排出判定部１３で用いる金型排出判定項目１〜３の検出値の基準となる所定値を設定することができる。より詳細には、表示部１４は、金型排出判定項目１〜３の検出値の基準となる上記第１所定値〜第３所定値を入力することができる。
【００８４】
図５は、ガラス成形品収納部（図示せず）における収納場所と金型の金型番号とを対応づけて表示部１４に表示した表示画面の一例を示す図である。また、図５は、上記検査項目１〜４の有効、無効の設定状況、ならびに金型排出判定項目１〜３に対応した第１所定値〜第３所定値の設定状況を表示した表示画面の一例を示す図である。
【００８５】
図５において、第一表示枠５１には、成形品情報（収納部情報、収納部における収納場所番号、成形に使用した金型番号、成形品良否判定結果、等）が表示されている。表示された表示例では、ガラス成形品収納部（収納部情報）は、ガラス成形品を収納する例えば第１収納部、第２収納部、第３収納部、第４収納部、を備えている。第１〜第４の各収納部には、１つのガラス成形品２６を収納する収納場所（収納場所番号）が例えば１０箇所設けられている。それぞれの収納場所には、例えば１〜１０の収納場所の番号が付与されている。
【００８６】
図５に示す第一表示枠５１には、第１収納部の１〜１０番の各収納場所に対応づけて、成形に使用した金型番号１１〜２０が表示されている。金型番号１１〜２０が表示された収納場所には、ガラス成形品２６が収納されていることを表している。
【００８７】
各収納場所に収納されたガラス成形品２６は、各収納場所に対応づけて表示された金型番号の金型で成形されたことを表している。例えば、第１収納部の１番の収納場所に収納されているガラス成形品２６は、金型番号１１の金型で成形されたことを表している。
【００８８】
一方、図５に示す表示例では、金型番号が表示されていない第２収納部〜第４収納部の各収納場所には、ガラス成形品２６は収納されていない。
【００８９】
このような表示において、ガラス成形品２６の検査判定結果（成形品良否判定結果）に応じて金型番号が表示された背景画面は、ガラス成形品２６の検査結果に応じて表示色が変化する。すなわち、収納されたガラス成形品２６が良品と不良品とで表示色を変えて表示される。
【００９０】
ガラス成形品２６の検査結果（成形品良否判定結果）と第一表示枠５１の成形に使用した金型番号が表示された背景画面の表示色との対応関係の一例を、表示部１４の第四表示枠５４に示す。第四表示枠５４に表示された対応関係において、収納されたガラス成形品２６が検査されていない場合には、金型番号が表示された背景画面は例えば白色で表示される。収納されたガラス成形品２６が良品の場合には、金型番号が表示された背景画面は例えば青色で表示される。ガラス成形品２６の表面や側面に傷などが検出されてガラス成形品２６が不良品となり、検査ＮＧとなった場合には、金型番号が表示された背景画面は例えば橙色で表示される。この検査ＮＧは、上述した検査項目１、２のいずれか一方または双方でガラス成形品２６が不良品となった場合である。収納されたガラス成形品２６の寸法が基準寸法内に収まっておらず不良品となり、サイズＮＧとなった場合には、金型番号が表示された背景画面は例えば黄色で表示される。このサイズＮＧは、上述した検査項目３、４のいずれか一方または双方でガラス成形品２６が不良品となった場合である。ガラス成形品２６を成形する一連の成形工程の内、いずれかの成形工程例えばプレス工程に要する予め設定された所定の時間を超過して成形されたガラス成形品２６が収納された場合には、金型番号が表示された背景画面は例えば桃色で表示される。ガラス成形品２６を成形する一連の成形工程の内、いずれかの成形工程例えばプレス工程に不具合が発生して成形されたガラス成形品２６が収納されて成形ＮＧの場合には、金型番号が表示された背景画面は例えば赤色で表示される。
【００９１】
このように、ガラス成形品２６の検査結果に対応して、ガラス成形品２６が収納される各収納場所の金型番号が表示される背景画面の表示色を変えることで、収納されたガラス成形品２６の検査の有無、検査の良否及び不良の内容を容易に把握することができる。また、表示部１４に第四表示枠５４に成形品良否判定結果凡例を設けることにより、ガラス成形品２６の検査結果と第一表示枠５１の金型番号が表示された背景画面の表示色との対応関係を容易に把握することができる。
【００９２】
図５において、第二表示枠５２には、上記検査項目１〜４（成形品良否判定条件）とその設定状況が表示される。図５に示す一表示例では、検査項目１と検査項目３とは有効と表示されて、検査項目として設定されている。一方、検査項目２と検査項目４とは無効と表示されて、検査項目として設定されていない。
【００９３】
検査項目１〜４は、上述した表示装置が備えている入力機能を用いて、例えば有効／無効が表示されている箇所を操作者が触れて操作することで、有効／無効を選択して設定することができる。なお、検査項目に関して、この４項目に限らず、１項目のみや２項目以上の複数項目など自由に設定することができる。
【００９４】
図５において、第三表示枠５３には、金型排出判定条件として、上記金型排出判定項目１〜３と金型排出判定項目１〜３の検出値と比較される上記第１所定値〜第３所定値とが対応づけて表示される。
【００９５】
金型排出判定項目１〜３の検出値と比較される上記第１所定値〜第３所定値は、上述した表示装置が備えている入力機能を用いて、操作者が第１所定値〜第３所定値を入力することで設定することができる。したがって、第１所定値〜第３所定値が表示されずに空欄になっている場合には、第１所定値〜第３所定値が表示されずに空欄になっている金型排出判定項目１〜３は、設定されていない。なお、金型排出判定項目に関して、この３項目に限らず、１項目のみや２項目以上の複数項目など自由に設定することができる。
【００９６】
このように、少なくとも第一表示枠５１に表示された表示内容（成形品情報〔収納部情報、収納部における収納場所番号、成形に使用した金型番号、成形品良否判定結果〕）、第二表示枠５２に表示された表示内容（成形品良否判定条件）ならびに第三表示枠５３に表示された表示内容（金型排出判定条件）は、表示部１４の一画面にすべて同時に表示される。また、第四表示枠５４に表示される表示内容（成形品良否判定結果凡例）も併せて表示してもよい。
【００９７】
以上説明したように、本発明に係る上記実施形態では、以下に示す効果を得ることができる。
【００９８】
この実施形態のガラス成形装置１は、金型に設置されたガラス素材を押圧してガラス成形品２６を成形する成形部１１と、成形部１１で成形されたガラス成形品２６の良否判定を行う検査判定部１２とを備えている。検査判定部１２は、さらに、ガラス成形品２６を成形するために使用した金型の良否判定を行う。
【００９９】
ガラス成形装置１は、上記構成を採用することにより、ガラス成形品２６の良否の判定
結果に基づいて、良否を判定したガラス成形品２６を成形した金型が良品であるか、もしくは不良品の可能性があるかを判定することができる。
【０１００】
これにより、ガラス成形装置１は、金型が実際に成形工程を流通してガラス成形品２６を成形しているときに、金型を成形工程から排出することなく、金型が良品であるか、もしくは不良品の可能性があるかを判定することができる。
【０１０１】
金型は、成形工程を流通しているときには、金型をカメラで撮像可能な温度よりも高い高温状態にある。このため、金型を成形工程から排出しても、金型が高温のためすぐにはカメラに接近させて金型を撮像することはできなかった。したがって、金型の撮像画像に基づいて金型の良否を判定する場合には、金型の温度がカメラで撮像可能になるまで待たなければならず、良否の判定に時間がかかっていた。
【０１０２】
これに対して、ガラス成形装置１は、ガラス成形品２６の良否に基づいて金型が良品であるかもしくは不良品の可能性があるかを判定できるので、金型が撮像に適した温度に低下するまで待つ必要はない。これにより、ガラス成形装置１は、金型を直接撮像して判定する場合に比べて、判定時間を短縮することができる。
【０１０３】
この実施形態のガラス成形装置１は、検査判定部１２の判定結果に基づき、金型の排出判定を行う金型排出判定部１３を備える。
【０１０４】
ガラス成形装置１は、上記構成を採用することにより、金型が良品であるか不良品であるかの判定結果に基づき排出する金型を判定することができる。
【０１０５】
この実施形態のガラス成形装置１において、金型排出判定部１３は、金型を成形部１１の成形工程から排出する排出条件の設定を行い、金型の良否判定結果が排出条件を満たしたとき、金型を成形工程から排出する。
【０１０６】
ガラス成形装置１は、上記構成を採用することにより、金型を成形部１１の成形工程から排出する排出条件を設定し、設定した排出条件に基づき排出する金型を判定することができる。
【０１０７】
この実施形態のガラス成形装置１において、排出条件は、不良品判定連続回数、不良品判定累計回数、延べ成形回数に対する前記不良品判定累計回数の割合の内、少なくとも１つを含む。
【０１０８】
ガラス成形装置１は、上記構成を採用することにより、不良品の可能性あると判定された金型を、さらに排出条件に基づいて金型の良否を判断するので、金型の良否を精度良く判定して、不良品の金型を確実に排出することができる。
【０１０９】
この実施形態のガラス成形装置１において、検査判定部１２は、ガラス成形品２６を載置する検査台２１と、ガラス成形品２６を照明する光源のバックライト２２とを備えている。検査判定部１２は、ガラス成形品２６の外観を撮像する撮像部の上面視カメラ２３及び側面視カメラ２４と、ガラス成形品２６の良否判定を行う判定部２５の成形品判定部１２Ａとを備えている。
【０１１０】
ガラス成形装置１は、上記構成を採用することにより、上面視カメラ２３及び側面視カメラ２４によりガラス成形品２６を撮像して検査することが可能となり、撮像により得られた画像によりガラス成形品２６の良否を判定することができる。
【０１１１】
この実施形態のガラス成形装置１において、検査台２１は、成形部１１で成形されたガラス成形品２６を載置する載置部が透明な平板で構成され、平板に対する垂直軸を中心に回転する。
【０１１２】
ガラス成形装置１は、上記構成を採用することにより、側面視カメラ２４を移動させることなくガラス成形品２６の４つの側面を側面視カメラ２４の正面に向けて撮像することができる。
【０１１３】
この実施形態のガラス成形装置１において、バックライト２２の光源は、透明な平板の検査台２１の下に配置され、検査台２１上に載置されたガラス成形品２６を検査台２１の下から照明する。
【０１１４】
ガラス成形装置１は、上記構成を採用することにより、上面視カメラ２３及び側面視カメラ２４によりガラス成形品２６を撮像したときに、ガラス成形品２６の良好な撮像画像を得ることができる。
【０１１５】
この実施形態のガラス成形装置１において、撮像部は、ガラス成形品２６の上面を撮像する上面視撮像部の上面視カメラ２３、ガラス成形品２６の側面を撮像する側面視撮像部の側面視カメラ２４の内、少なくとも１つを備えている。
【０１１６】
ガラス成形装置１は、上記構成を採用することにより、少なくともガラス成形品２６の上面視または側面視のいずれか一方の面を撮像して検査することができる。
【０１１７】
この実施形態のガラス成形装置１において、判定部２５の成形品判定部１２Ａは、成形部１１により成形されたガラス成形品２６の良否判定を行うための検査項目を設定する。判定部２５の成形品判定部１２Ａは、撮像部により撮像された画像により検査項目が満たされたとき、ガラス成形品２６が不良品であると判定し、判定部２５の金型判定部１２Ｂ
は、ガラス成形品２６を成形した金型の良否判定を行う。
【０１１８】
ガラス成形装置１は、上記構成を採用することにより、撮像部によりガラス成形品２６を撮像して得られた画像に基づいて、ガラス成形品２６の良否を判定することができる。さらに、ガラス成形装置１は、ガラス成形品２６を成形した金型の良否を判定することができる。
【０１１９】
この実施形態のガラス成形装置１は、ガラス成形品２６を収納するガラス成形品収納部に収納されたガラス成形品２６の検査判定部１２の良否判定結果と、ガラス成形品２６を成形した金型とを対応付けて表示する表示部１４を有する。
【０１２０】
ガラス成形装置１は、上記構成を採用することにより、ガラス成形品収納部に収納されたガラス成形品２６の良否と、ガラス成形品２６を成形した金型とを対応づけて表示することができる。これにより、ガラス成形装置１は、金型が良品のガラス成形品２６を成形した金型か、もしくは不良品のガラス成形品２６を成形して不良品の可能性があると判定された金型なのかを容易に把握することができる。
【０１２１】
この実施形態のガラス成形装置１において、表示部１４は、一つの表示画面内にガラス成形品収納部に収納されたガラス成形品２６の良否判定結果と、ガラス成形品２６を成形した金型とを対応付けて表示する。表示部１４は、さらに排出条件と検査項目の設定状況とを表示する。
【０１２２】
ガラス成形装置１は、上記構成を採用することにより、１つの表示画面で一括して、収納されたガラス成形品２６の良否と、ガラス成形品２６を成形した金型と、排出条件ならびに検査項目の設定状況とを容易に把握することができる。
【符号の説明】
【０１２３】
１  ガラス成形装置
１１  成形部
１２  検査判定部
１２Ａ  成形品判定部
１２Ｂ  金型判定部
１３  金型排出判定部
１４  表示部
１５  制御部
２６  ガラス成形品
【図１】
0006667356.tif 000002
【図２】
0006667356.tif 000003
【図３】
0006667356.tif 000004
【図４】
0006667356.tif 000005
【図５】
0006667356.tif 000006